(57)【要約】【課題】駆動部（操作部）がレンズ鏡胴から出っ張らないように構成した絞り装置を含むレンズ装置及び監視カメラを提供する。【解決手段】監視カメラ１００は、撮像レンズ１０４と、カメラボディ１０２とを備える。撮像レンズ１０４は絞り装置１２６を含む。絞り装置１２６は、絞り開口部を有する上羽根２１０と、絞り開口部を有する下羽根２２０と、上羽根２１０および下羽根２２０を直線移動可能なように支持するための支持枠２３０と、支持枠２３０に対して回転可能なように支持され、上羽根２１０を第１の方向に直線移動させ、かつ、下羽根２２０を前記第１の方向と異なる第２の方向に直線移動させるための羽根連動板２４０とを備える。羽根連動板２４０の回転中心は、絞り値が開放の状態において、絞り開口部によって形成される開放時絞り開口の内側の領域に配置される。【選択図】      図１
2005010642.tif 000002
【特許請求の範囲】
【請求項１】
直線移動する絞り羽根を含む絞り装置を備えた監視カメラにおいて、
被写体からの光束を結像させるための撮像レンズと、
前記撮像レンズを通る被写体からの光束を記録するためのカメラボディと、
前記撮像レンズを通る被写体からの光束の通過光量を調整するための絞り装置とを備え、
該絞り装置は、
被写体からの光束の通過光量を調整するための第１絞り開口部を有する第１絞り羽根と、
被写体からの光束の通過光量を調整するための第２絞り開口部を有する第２絞り羽根と、
前記第１絞り羽根および前記第２絞り羽根を直線移動可能なように支持するための支持部材と、
前記支持部材に対して回転可能なように支持され、かつ、前記第１絞り羽根を第１の方向に直線移動させ、かつ、前記第２絞り羽根を前記第１の方向と異なる第２の方向に直線移動させるための絞り羽根連動部材とを備え、
前記絞り羽根連動部材の回転中心は、絞りが開放の状態において、前記第１絞り開口部および前記第２絞り開口部によって形成される開放時絞り開口の内側の領域に配置される、
ことを特徴とする監視カメラ。
【請求項２】
前記絞り羽根連動部材の回転中心は、前記撮像レンズを構成するレンズ系の光軸上に配置されることを特徴とする、請求項１に記載の監視カメラ。
【請求項３】
直線移動する絞り羽根を含む絞り装置を備えたレンズ装置において、
レンズ装置を通過する光束を拡散又は収斂させるためのレンズ系と、
前記レンズ系を通る光束の通過光量を調整するための絞り装置とを備え、
該絞り装置は、
前記レンズ系を通る光束の通過光量を調整するための第１絞り開口部を有する第１絞り羽根と、
前記レンズ系を通る光束の通過光量を調整するための第２絞り開口部を有する第２絞り羽根と、
前記第１絞り羽根および前記第２絞り羽根を直線移動可能なように支持するための支持部材と、
前記支持部材に対して回転可能なように支持され、かつ、前記第１絞り羽根を第１の方向に直線移動させ、かつ、前記第２絞り羽根を前記第１の方向と異なる第２の方向に直線移動させるための絞り羽根連動部材とを備え、
前記絞り羽根連動部材の回転中心は、絞りが開放の状態において、前記第１絞り開口部および前記第２絞り開口部によって形成される開放時絞り開口の内側の領域に配置される、
ことを特徴とするレンズ装置。
【請求項４】
前記絞り羽根連動部材の回転中心は、前記レンズ系の光軸上に配置されることを特徴とする、請求項３に記載のレンズ装置。
【請求項５】
直線移動する絞り羽根を含む絞り装置において、
絞り装置を通過する光量を調整するための第１絞り開口部を有する第１絞り羽根と、
絞り装置を通過する光量を調整するための第２絞り開口部を有する第２絞り羽根と、
前記第１絞り羽根および前記第２絞り羽根を直線移動可能なように支持するための支持部材と、
前記支持部材に対して回転可能なように支持され、かつ、前記第１絞り羽根を第１の方向に直線移動させ、かつ、前記第２絞り羽根を前記第１の方向と異なる第２の方向に直線移動させるための絞り羽根連動部材とを備え、
前記絞り羽根連動部材の回転中心は、絞りが開放の状態において、前記第１絞り開口部および前記第２絞り開口部によって形成される開放時絞り開口の内側の領域に配置される、
ことを特徴とする絞り装置。
【請求項６】
前記絞り羽根連動部材の回転中心は、前記開放時絞り開口の中心に配置されることを特徴とする、請求項５に記載の絞り装置。
【発明の詳細な説明】
【０００１】
【発明の属する技術分野】
本発明は、直線移動する絞り羽根を含む絞り装置及びそれを備えたレンズ装置及び監視カメラに関する。特に、本発明は、駆動部がレンズ鏡胴から出っ張らないように構成された小型の絞り装置を備えたレンズ装置及び監視カメラに関する。さらに、本発明は、直線移動する絞り羽根を含む小型の絞り装置に関する。
【０００２】
【従来の技術】
従来の手動絞り装置は、レンズ鏡胴内に径方向から差し込まれる開口付きの挿入部分及びレンズ鏡胴外に配置される取付部付きの延長部分を一体形成した保持枠と、保持枠内に摺動可能に配置される２枚の絞り羽根と、延長部分が貫通する軸孔及び軸孔に対応して外面側に設けられた支持部と、一端側が軸孔を通して延長部分内に出っ張りかつ他端側が支持部を介して回転可能に支持された回動軸と、支持部側に配置された回動軸の軸回りに出っ張るように設けられた操作レバーと、延長部分内に配置されかつ回動軸の一端側に連結されて、２枚の絞り羽根を、それぞれ異なる方向に摺動させる回動片とを備えている。（例えば、特許文献１参照）。この手動絞り装置の特徴は、レンズ鏡胴内に後付け方式で組み込めるようになっおり、構造が簡易な点にある。
【特許文献１】
特開２０００−２１４３６９号公報（第３〜５頁、図１、図２）
【０００３】
【発明が解決しようとする課題】
しかし、特許文献１に開示されているような従来の手動絞り装置では、駆動部（操作部）の回転中心が絞り羽根の外側で絞り羽根から離れた位置にあるので、手動絞り装置が大型化するという課題があった。また、このような従来の手動絞り装置では、駆動部（操作部）がレンズ鏡胴から出っ張るという課題があった。したがって、従来の手動絞り装置を用いると、露出制御装置、レンズ装置、撮像装置を小型化するのが難しかった。
【０００４】
【発明の目的】
本発明の目的は、直線移動する絞り羽根を含む絞り装置を備えたレンズ装置及び監視カメラにおいて、駆動部（操作部）がレンズ鏡胴から出っ張らない構造を実現することにある。
本発明の他の目的は、直線移動する絞り羽根を含む絞り装置において、駆動部（操作部）を小型化することにある。
【０００５】
【課題を解決するための手段】
本発明は、直線移動する絞り羽根を含む絞り装置を備えた監視カメラにおいて、被写体からの光束を結像させるための撮像レンズと、撮像レンズを通る被写体からの光束を記録するためのカメラボディと、撮像レンズを通る被写体からの光束の通過光量を調整するための絞り装置とを備えるように構成した。この絞り装置は、被写体からの光束の通過光量を調整するための第１絞り開口部を有する第１絞り羽根と、被写体からの光束の通過光量を調整するための第２絞り開口部を有する第２絞り羽根と、第１絞り羽根および第２絞り羽根を直線移動可能なように支持するための支持部材と、支持部材に対して回転可能なように支持され、かつ、第１絞り羽根を第１の方向に直線移動させ、かつ、第２絞り羽根を前記第１の方向と異なる第２の方向に直線移動させるための絞り羽根連動部材とを備える。
【０００６】
本発明の監視カメラでは、絞り羽根連動部材の回転中心は、絞りが開放の状態において、第１絞り開口部および第２絞り開口部によって形成される開放時絞り開口の内側の領域に配置される。また、本発明の監視カメラでは、絞り羽根連動部材の回転中心は、撮像レンズを構成するレンズ系の光軸上に配置されるのが好ましい。この構成により、絞り装置を駆動するための駆動部（絞り装置を操作するための操作部）がレンズ鏡胴から出っ張らないように構成することができる。
【０００７】
さらに、本発明は、直線移動する絞り羽根を含む絞り装置を備えたレンズ装置において、レンズ装置を通過する光束を拡散又は収斂させるためのレンズ系と、レンズ系を通る光束の通過光量を調整するための絞り装置とを備えるように構成した。この絞り装置は、レンズ系を通る光束の通過光量を調整するための第１絞り開口部を有する第１絞り羽根と、レンズ系を通る光束の通過光量を調整するための第２絞り開口部を有する第２絞り羽根と、第１絞り羽根および第２絞り羽根を直線移動可能なように支持するための支持部材と、支持部材に対して回転可能なように支持され、かつ、第１絞り羽根を第１の方向に直線移動させ、かつ、第２絞り羽根を前記第１の方向と異なる第２の方向に直線移動させるための絞り羽根連動部材とを備える。
【０００８】
本発明のレンズ装置では、絞り羽根連動部材の回転中心は、絞りが開放の状態において、前記第１絞り開口部および前記第２絞り開口部によって形成される開放時絞り開口の内側の領域に配置される。本発明のレンズ装置では、絞り羽根連動部材の回転中心は、レンズ系の光軸上に配置されるのが好ましい。この構成により、絞り装置を駆動するための駆動部（絞り装置を操作するための操作部）がレンズ鏡胴から出っ張らないように構成することができる。
【０００９】
さらに、本発明は、直線移動する絞り羽根を含む絞り装置において、絞り装置を通過する光量を調整するための第１絞り開口部を有する第１絞り羽根と、絞り装置を通過する光量を調整するための第２絞り開口部を有する第２絞り羽根と、第１絞り羽根および第２絞り羽根を直線移動可能なように支持するための支持部材と、支持部材に対して回転可能なように支持され、かつ、第１絞り羽根を第１の方向に直線移動させ、かつ、第２絞り羽根を前記第１の方向と異なる第２の方向に直線移動させるための絞り羽根連動部材とを備え、絞り羽根連動部材の回転中心は、絞りが開放の状態において、第１絞り開口部および第２絞り開口部によって形成される開放時絞り開口の内側の領域に配置されることを特徴とする。本発明の絞り装置では、絞り羽根連動部材の回転中心は、開放時絞り開口の中心に配置されるのが好ましい。この構成により、露出制御装置の駆動部（操作部）を小型化することができる。
【００１０】
【発明の効果】
本発明により、駆動部（操作部）がレンズ鏡胴から出っ張らないように構成した絞り装置を備えたレンズ装置および監視カメラを実現することができる。
また、本発明により、絞り装置全体の構成を簡素化することができるので、絞り装置自体をユニット化することができ、絞り装置をレンズ鏡胴に後付けすることが可能になる。
また、本発明は、絞り装置をユニット化することにより、手動絞り装置にガルバノメータを取り付け、自動絞り装置として用いることができる。
【００１１】
【発明の実施の形態】
以下に、本発明の実施の形態を図面に基づいて説明する。以下に説明する本発明の実施の形態は、直線移動する絞り羽根を含む絞り装置を含むレンズ装置を備えた監視カメラである。しかしながら、本発明の絞り装置は、他のタイプのカメラ、例えば、スチルカメラ、ビデオカメラ、デジタルカメラなどに適用することができる。また、本発明の絞り装置は、ＯＨＰプロジェクタ、液晶プロジェクタ、投光機、映写機などの種々のレンズ装置にも適用することができる。
【００１２】
（１）第１の実施の形態
最初に、本発明の第１の実施の形態について説明する。
（１・１）監視カメラの構造
図１を参照すると、本発明の監視カメラ１００は、被写体からの光束による像を記録するためのカメラボディ１０２と、被写体からの光束を通すための撮像レンズ１０４とを備える。撮像レンズ１０４は、レンズマウント１０４ｍにより、カメラボディ１０２に対して着脱可能に取り付けられる。変形例として、撮像レンズ１０４をカメラボディ１０２に固定した構造であってもよい。撮像レンズ１０４は撮像レンズ光軸１０４ｘと、前群光学系１０６と、後群光学系１０８と、絞り装置１２６とを有する。後群光学系１０８は、撮像レンズ光軸１０４ｘにそって移動可能なように構成されたフォーカスレンズ系を構成する。或いは、前群光学系１０６および後群光学系１０８が、いずれも移動可能なように構成され、フォーカスレンズ系を構成することもできる。
【００１３】
撮像レンズ１０４は鏡胴体２６２を含む。鏡胴体２６２は、第１筒部２６２ａと、第２筒部２６２ｂと、後群光学系１０８を支持するレンズ枠２６２ｃと、絞り装置導入部２６２ｄと、フォーカス操作環２６２ｆとを含む。フォーカス操作環２６２ｆを回転させることにより、後群光学系１０８を移動させることができるように構成される。或いは、フォーカス操作環２６２ｆを回転させることにより、前群光学系１０６及び後群光学系１０８を移動させることができるように構成することもできる。前群光学系１０６及び後群光学系１０８の支持構造は、例えば、特許文献１に記載されているような公知の構造を用いることができる。
絞り装置１２６は、撮像レンズ光軸１０４ｘに対して垂直に絞り装置導入部２６２ｄに挿入される。絞り装置１２６の中心軸線と、鏡胴体２６２の中心軸線とが一致するように、絞り装置１２６は鏡胴体２６２の中に配置される。
【００１４】
カメラボディ１０２には、撮像レンズ１０４により結像される被写体の画像を電気信号に変換するための固体撮像素子１３０と、固体撮像素子１３０から出力される被写体の画像に関する電気信号を処理するための電気信号処理部１３２と、電気信号処理部１３２により処理された被写体の画像に関する電気信号を記録する信号を出力するための画像記録信号発生部１３４と、監視カメラ１００を操作するためのスイッチ１３８と、監視カメラ１００の動作を制御するための動作制御部１４０などが設けられる。固体撮像素子１３０は、ＣＣＤなどで構成することができる。電気信号処理部１３２と、画像記録信号発生部１３４と、動作制御部１４０は、ＭＯＳ−ＩＣ、ＰＬＡ−ＩＣなどで構成することができる。
画像記録装置１５０がカメラボディ１０２と別個に設けられる。画像記録装置１５０は、例えば、ＶＴＲレコーダで構成される。画像記録装置１５０は接続コード１５２によってカメラボディ１０２と接続される。接続コード１５２は、画像記録装置１５０からカメラボディ１０２に電力を供給し、かつ、画像記録装置１５０から動作制御部１４０に対して、監視カメラ１００の動作を制御する信号を送ることができるように構成される。接続コード１５２は、カメラボディ１０２の画像記録信号発生部１３４が出力する被写体の画像に関する電気信号を画像記録装置１５０に送ることができるように構成される。
【００１５】
画像記録装置１５０には、カメラボディ１０２から送られる被写体の画像に関する電気信号を入力して、被写体の画像を記録する処理を行うための記録処理部１５４と、記録処理部１５４が動作することにより被写体の画像を記録するための記録媒体１５６が設けられる。記録媒体１５６は、ＶＴＲテープであってもよいし、ＲＡＭカード、フレキシブルディスク、光ディスク、ＣＤ−Ｒ、ＣＤ−ＲＷ、ＤＶＤ−ＲＡＭ、ＤＶＤ−ＲＷなどで構成することもできる。画像記録装置１５０は、監視カメラ１００から送られる被写体の画像を表示するための画像表示部１６０と、画像記録装置１５０を操作するためのスイッチ１６２と、画像記録装置１５０を電源に接続するための電源コード１６４とを備える。画像記録装置１５０を動作させるための電源は、外部の交流電源を用いることもできるし、外部の電池を用いることもできるし、或いは、画像記録装置１５０内に配置された電池を用いてもよい。記録媒体は、カメラボディ１０２内に設けることもできる。もし、必要ならば、カメラボディ１０２に電池などの電源を配置することもできる。もし、必要ならば、被写体の画像を表示するためのカメラ表示部（図示せず）をカメラボディ１０２に設けても良い。
【００１６】
（１・２）絞り装置の構造
次に、本発明の第１の実施の形態において、監視カメラ１００の絞り装置の構成について説明する。図２および図３を参照すると、絞り装置１２６は、第１絞り羽根すなわち上羽根２１０と、第２絞り羽根すなわち下羽根２２０と、上羽根２１０および下羽根２２０を直線移動可能なように支持するための支持部材すなわち支持枠２３０と、支持枠２３０に対して回転可能なように支持された絞り羽根連動部材すなわち羽根連動板２４０と、上羽根２１０および下羽根２２０を支持部材２３０に対して保持するための保持部材すなわち固定板２５０とを備える。上羽根２１０は、最小絞り値の状態において、一番上方に位置し、開放絞り値の状態において、一番下方に位置するように支持枠２３０に対して支持される。これに対して、下羽根２２０は、最小絞り値の状態において、一番下方に位置し、開放絞り値の状態において、一番上方に位置するように支持枠２３０に対して支持される。すなわち、絞り値を最小絞り値から開放絞り値に向かって開くにつれて、上羽根２１０は下方に向かって直線移動し、下羽根２２０は上方に向かって直線移動するように構成される。
【００１７】
支持枠２３０は、被写体からの光束の通過させるための支持枠開口部２３２と、上羽根２１０および下羽根２２０を直線移動可能なように案内するための羽根ガイドピン２３３ａ〜２３３ｄと、固定板２５０を取り付けるための固定板取付部２３４ａ〜２３４ｄと、羽根連動板２４０の一部を組み込み支持するための羽根連動板受入部２３４ｆと、羽根連動板２４０を回転可能なように配置するための羽根連動板配置部２３４ｇと、羽根連動板２４０を回転可能に案内するための羽根連動板案内部２３４ｈとを有する。支持枠開口部２３２は、円形に形成されるのがよい。羽根連動板案内部２３４ｈは、リング状の帯部（円環状の突起部）に形成されるのがよい。
【００１８】
上羽根２１０は、被写体からの光束の通過光量を調整するための第１絞り開口部すなわち上羽根開口部２１２と、上羽根連動ピン２４４ａを受け入れるための上羽根連動穴２１３と、支持枠２３０の羽根ガイドピン２３３ａおよび２３３ｂを受け入れて上羽根２１０を直線移動可能なように案内するための第１上羽根ガイド穴２１４ａと、支持枠２３０の羽根ガイドピン２３３ｃおよび２３３ｄを受け入れて上羽根２１０を直線移動可能なように案内するための第２上羽根ガイド穴２１４ｂと、下羽根連動ピン２４４ｂを逃げるための下羽根連動ピン逃げ穴２１５とを有する。上羽根開口部２１２は、上方に位置し、かつ、ほぼ円形に形成された上方部分２１２ａと、上方部分２１２ａの下方に位置し、かつ、上方部分２１２ａを構成する円の２つの接線により頂角がほぼ直角になるように形成された下方部分２１２ｂとを含む。上羽根連動穴２１３は、中心軸線が水平方向に延びる長孔形状に形成される。第１上羽根ガイド穴２１４ａと第２上羽根ガイド穴２１４ｂは、それぞれ、中心軸線が垂直方向に延びる長孔形状に形成される。第１上羽根ガイド穴２１４ａの形状と第２上羽根ガイド穴２１４ｂの形状とは、同一形状になるように形成されるのが好ましい。上羽根連動穴２１３は、固定板２５０が配置されている方向から見て、上羽根開口部２１２の右側に配置される。
【００１９】
下羽根２２０は、被写体からの光束の通過光量を調整するための第２絞り開口部すなわち下羽根開口部２２２と、下羽根連動ピン２４４ｂを受け入れるための下羽根連動穴２２３と、支持枠２３０の羽根ガイドピン２３３ａおよび２３３ｂを受け入れて下羽根２２０を直線移動可能なように案内するための第１下羽根ガイド穴２２４ａと、支持枠２３０の羽根ガイドピン２３３ｃおよび２３３ｄを受け入れて下羽根２２０を直線移動可能なように案内するための第２下羽根ガイド穴２２４ｂと、上羽根連動ピン２４４ａを逃げるための上羽根連動ピン逃げ穴２２５とを有する。下羽根開口部２２２は、下方に位置し、かつ、ほぼ円形に形成された下方部分２２２ａと、下方部分２２２ａの上方に位置し、かつ、下方部分２２２ａを構成する円の２つの接線により頂角がほぼ直角になるように形成された上方部分２２２ｂとを含む。下羽根開口部２２２と上羽根開口部２１２とは、下方部分２２２ａの中心を基準としたときに、点対称になるように形成されるのが好ましい。下羽根連動穴２２３は、中心軸線が水平方向に延びる長孔形状に形成される。
【００２０】
第１下羽根ガイド穴２２４ａと第２下羽根ガイド穴２２４ｂは、それぞれ、中心軸線が垂直方向に延びる長孔形状に形成される。第１下羽根ガイド穴２２４ａの形状と第２下羽根ガイド穴２２４ｂの形状とは、同一形状になるように形成されるのが好ましい。下羽根連動穴２２３は、固定板２５０が配置されている方向から見て、下羽根開口部２２２の左側に配置される。或いは、固定板２５０が配置されている方向から見て、上羽根連動穴２１３を上羽根開口部２１２の左側に配置し、下羽根連動穴２２３の右側に配置してもよい。すなわち、下羽根連動穴２２３の位置は、固定板２５０が配置されている方向から見て、下羽根開口部２２２の中心を基準として、上羽根連動穴２１３の位置の反対側になるように構成される。
【００２１】
羽根連動板２４０は、一定の角度だけ回転することにより、上羽根２１０を第１の方向に直線移動させ、かつ、下羽根２２０を前記第１の方向と異なる第２の方向に直線移動させるために設けられる。羽根連動板２４０は、固定板２５０が配置されている方向から見て時計回り方向に回転することにより、上羽根２１０を下方に向かって直線移動させ、同時に、下羽根２２０を上方に向かって直線移動させることができるように構成される。また、羽根連動板２４０は、固定板２５０が配置されている方向から見て反時計回り方向に回転することにより、上羽根２１０を上方に向かって直線移動させ、同時に、下羽根２２０を下方に向かって直線移動させることができるように構成される。
【００２２】
羽根連動板２４０は、被写体からの光束を通過させるための羽根連動板開口部２４２と、羽根連動板２４０を支持枠２３０に対して組み込み支持するための羽根連動板引掛け部２４３と、上羽根２１０を直線移動させるための上羽根連動ピン２４４ａと、下羽根２２０を直線移動させるための下羽根連動ピン２４４ｂと、上羽根２１０および下羽根２２０を同時に異なる方向に直線移動させて絞り値を変化させるための操作部１２６ｆとを有する。上羽根連動ピン２４４ａと下羽根連動ピン２４４ｂとは、羽根連動板開口部２４２の中心を基準としたときに、点対称になるように形成されるのが好ましい。羽根連動板開口部２４２が支持枠２３０の羽根連動板案内部２３４ｈに組み込まれることによって、羽根連動板２４０は支持枠２３０に対して回転することができるように構成される。
【００２３】
羽根連動板開口部２４２の大きさは、上羽根開口部２１２の上方部分２１２ａの大きさと等しいか、或いは、上羽根開口部２１２の上方部分２１２ａの大きさより大きくなるように形成されるのが好ましい。また、羽根連動板開口部２４２の大きさは、下羽根開口部２２２の下方部分２２２ａの大きさと等しいか、或いは、下羽根開口部２２２の下方部分２２２ａの大きさより大きくなるように形成されるのが好ましい。
固定板２５０は、被写体からの光束の通過させるための固定板開口部２５２と、固定板２５０を支持枠２３０に取り付けるための固定板取付部２５３ａ〜２５３ｄと、羽根ガイドピン２３３ａ、２３３ｂを逃げるための羽根ガイドピン逃げ穴２５４ａと、羽根ガイドピン２３３ｃ、２３３ｄを逃げるための羽根ガイドピン逃げ穴２５４ｂと、上羽根連動ピン２４４ａを逃げるための上羽根連動ピン逃げ穴２５５ａと、下羽根連動ピン２４４ｂを逃げるための下羽根連動ピン逃げ穴２５５ｂとを有する。
【００２４】
固定板開口部２５２は円形に形成されるのが好ましい。固定板開口部２５２の大きさは、上羽根開口部２１２の上方部分２１２ａの大きさと等しいか、或いは、上羽根開口部２１２の上方部分２１２ａの大きさより大きくなるように形成されるのが好ましい。また、固定板開口部２５２の大きさは、下羽根開口部２２２の下方部分２２２ａの大きさと等しいか、或いは、下羽根開口部２２２の下方部分２２２ａの大きさより大きくなるように形成されるのが好ましい。
【００２５】
上羽根連動ピン逃げ穴２５５ａは、中心軸線が円弧状に延びる円弧状長孔の形状に形成される。下羽根連動ピン逃げ穴２５５ｂは、中心軸線が円弧状に延びる円弧状長孔の形状に形成される。上羽根連動ピン逃げ穴２５５ａの形状と下羽根連動ピン逃げ穴２５５ｂの形状とは、同一形状になるように形成されるのが好ましい。上羽根連動ピン逃げ穴２５５ａと下羽根連動ピン逃げ穴２５５ｂの形状とは、固定板開口部２５２の中心を基準としたときに、点対称になるように形成されるのが好ましい。羽根ガイドピン逃げ穴２５４ａは、中心軸線が垂直方向に延びる長孔形状に形成されるのがよい。或いは、羽根ガイドピン逃げ穴２５４ａは、羽根ガイドピン２３３ａを逃げるための第１の丸穴と、羽根ガイドピン２３３ｂ逃げるための第２の丸穴とにより形成することもできる。羽根ガイドピン逃げ穴２５４ｂは、中心軸線が垂直方向に延びる長孔形状に形成されるのがよい。或いは、羽根ガイドピン逃げ穴２５４ｂは、羽根ガイドピン２３３ｃを逃げるための第３の丸穴と、羽根ガイドピン２３３ｄ逃げるための第４の丸穴とにより形成することもできる。
【００２６】
（１・３）絞り装置の組立
次に、本発明の第１の実施の形態において、絞り装置１２６の組立について説明する。図４を参照すると、最初に、絞り装置１２６において、羽根連動板２４０の羽根連動板引掛け部２４３を支持枠２３０の羽根連動板受入部２３４ｆに組み込み、羽根連動板開口部２４２を支持枠２３０の羽根連動板案内部２３４ｈに組み込む。すなわち、羽根連動板２４０は、羽根連動板案内部２３４ｈの中心（すなわち、羽根連動板開口部２４２の中心）を回転中心として回転することができるように支持枠２３０に対して組み込まれる。
【００２７】
次に、下羽根２２０を羽根連動板２４０の上に配置する。下羽根連動穴２２３は下羽根連動ピン２４４ｂを受け入れる。第１下羽根ガイド穴２２４ａは、支持枠２３０の羽根ガイドピン２３３ａおよび２３３ｂを受け入れて下羽根２２０を支持枠２３０に対して垂直方向に直線移動可能なように案内する。また、第２下羽根ガイド穴２２４ｂは、支持枠２３０の羽根ガイドピン２３３ｃおよび２３３ｄを受け入れて下羽根２２０を支持枠２３０に対して垂直方向に直線移動可能なように案内する。
次に、上羽根２１０を下羽根２２０の上に配置する。上羽根連動穴２１３は上羽根連動ピン２４４ａを受け入れる。第１上羽根ガイド穴２１４ａは、支持枠２３０の羽根ガイドピン２３３ａおよび２３３ｂを受け入れて上羽根２１０を支持枠２３０に対して垂直方向に直線移動可能なように案内する。また、第２上羽根ガイド穴２１４ｂは、支持枠２３０の羽根ガイドピン２３３ｃおよび２３３ｄを受け入れて上羽根２１０を支持枠２３０に対して垂直方向に直線移動可能なように案内する。
【００２８】
次に、固定板２５０を上羽根２１０の上に配置する。羽根ガイドピン２３３ａ、２３３ｂは羽根ガイドピン逃げ穴２５４ａを貫通する。羽根ガイドピン２３３ｃ、２３３ｄは羽根ガイドピン逃げ穴２５４ｂを貫通する。上羽根連動ピン２４４ａは上羽根連動ピン逃げ穴２５５ａを貫通する。下羽根連動ピン２４４ｂは下羽根連動ピン逃げ穴２５５ｂを貫通する。固定板取付部２５３ａ〜２５３ｄが、それぞれ、固定板取付部２３４ａ〜２３４ｄの下に入り込むことにより、固定板２５０は支持枠２３０に取り付けられる。
【００２９】
絞り装置１２６を組み立てた状態では、絞り値が開放の状態における上羽根開口部２１２の円形部分の中心は、絞り値が開放の状態における下羽根開口部２２２の円形部分と一致するように構成される。また、絞り装置１２６を組み立てた状態では、支持枠開口部２３２の中心は、固定板開口部２５２の中心と一致し、かつ、絞り値が開放の状態における上羽根開口部２１２の円形部分の中心と一致し、かつ、絞り値が開放の状態における下羽根開口部２２２の円形部分の中心と一致するように構成される。
【００３０】
（１・４）絞り装置の鏡胴への組立
次に、本発明の第１の実施の形態において、絞り装置１２６の鏡胴２６０への組立について説明する。図５および図６を参照すると、鏡胴２６０は鏡胴体２６２を含む。鏡胴体２６２は、第１筒部２６２ａと、第２筒部２６２ｂと、第２筒部２６２ｂの下側に設けられた絞り装置導入部２６２ｄと、第２筒部２６２ｂの側面に設けられた絞り装置取付部２６２ｆ、２６２ｇとを含む。絞り装置１２６は、鏡胴体２６２の下方から絞り装置導入部２６２ｄに挿入される。或いは、鏡胴体２６２のセット方向を変更して、絞り装置１２６は、鏡胴体２６２の上方から絞り装置導入部２６２ｄに挿入することもできる。
絞り装置１２６の中心軸線１２６ｘと、鏡胴体２６２の中心軸線１２６ｘとが一致するように、絞り装置１２６は鏡胴体２６２の中に配置される。この状態で、絞り装置取付部２６２ｆに固定ねじ２６４ａを取り付け、絞り装置取付部２６２ｇに固定ねじ２６４ｂを取り付けることによって、絞り装置１２６は鏡胴体２６２に固定される。
【００３１】
次に、絞り装置１２６を取り付けた鏡胴２６０は、撮像レンズ１０４に組み込まれる。組み立てた絞り装置１２６を撮像レンズ１０４に組み込むとき、支持枠開口部２３２の中心は、レンズ系１０６の光軸１０４ｘ上に配置される。
本発明の絞り装置では、羽根連動板２４０の回転中心は、絞りが開放の状態において、上羽根開口部２１２および下羽根開口部２２２によって形成される開放時絞り開口の内側の領域に配置されている。本発明では、羽根連動板２４０の回転中心は、撮像レンズ１０４を構成するレンズ系１０６の光軸１０４ｘ上に配置されるのが一層好ましい。また、羽根連動板２４０の回転中心は、開放時絞り開口すなわち支持枠開口部の中心に配置されるのが一層好ましい。この構成により、絞り装置を駆動するための駆動部（絞り装置を操作するための操作部）がレンズ鏡胴から出っ張らないように構成した絞り装置を含むレンズ装置を有する撮像装置を実現することができる。
【００３２】
（１・５）監視カメラの作用
次に、本発明の第１の実施の形態において、監視カメラ１００の作用について説明する。図１を参照すると、ユーザは手で絞り装置１２６の操作部１２６ｆを操作して、羽根連動板２４０を必要な角度だけ回転させ、上羽根２１０を下方に向かって直線移動させ、同時に、下羽根２２０を上方に向かって直線移動させることによって、必要な絞り値を設定することができる。
すなわち、ユーザは撮像するのに適正な絞り値になるように絞り装置１２６を操作する。例えば、撮像するのに適正な絞り値が開放絞り値である場合、ユーザは手で絞り装置１２６の操作部１２６ｆを操作し、羽根連動板２４０は、絞り装置１２６が閉じた状態から開放絞り値にするのに必要な角度だけ、固定板２５０が配置されている方向から見て時計回り方向に回転し、上羽根２１０を下方に向かって直線移動させ、同時に、下羽根２２０を上方に向かって直線移動させる。図２に示すように、絞り値が開放絞り値に設定されたとき、上羽根開口部２１２の上方部分２１２ａの円の中心と、下羽根開口部２２２の下方部分２２２ａの円の中心とは一致し、しかも、上方部分２１２ａの円の中心および下方部分２２２ａの円の中心は撮像レンズ１０４の撮像レンズ光軸１０４ｘに一致する。
【００３３】
撮像するのに適正な絞り値が中間絞り値である場合、ユーザは手で絞り装置１２６の操作部１２６ｆを操作し、羽根連動板２４０は、絞り装置１２６が閉じた状態から中間絞り値にするのに必要な角度だけ、固定板２５０が配置されている方向から見て時計回り方向に回転し、上羽根２１０を下方に向かって直線移動させ、同時に、下羽根２２０を上方に向かって直線移動させる。図７に示すように、絞り値が中間絞り値に設定されたとき、上羽根開口部２１２の下方部分２１２ｂと、下羽根開口部２２２の下方部分２２２ａとは、ほぼ正方形を構成し、しかも、前記正方形の対角線の交点は撮像レンズ１０４の撮像レンズ光軸１０４ｘに一致する。ユーザは絞り装置１２６を設定した後、画像記録装置１５０を操作して、監視カメラ１００の動作を制御する信号を監視カメラ１００に送ることにより、ＣＣＤ素子１３０を作動させる。ＣＣＤ素子１３０は被写体からの光束を受け入れる。画像記録信号発生部１３４は、ＣＣＤ素子１３０が出力する信号に基づいて、被写体の画像に関する情報を記録するための信号を出力する。動作制御部１４０は、画像記録信号発生部１３４が出力する信号に基づいて、被写体の画像に関する電気信号を画像記録装置１５０に送る。
【００３４】
画像記録装置１５０の記録処理部１５４は、カメラボディ１０２から送られる被写体の画像に関する電気信号を入力して、被写体の画像を記録する処理を行う。画像記録装置１５０の記録処理部１５４が動作することにより、被写体の画像は記録媒体１５６に記録される。画像記録装置１５０の画像表示部１６０は、監視カメラ１００から送られる被写体の画像を表示する。
本発明の絞り装置においては、ユーザは手で絞り装置１２６の操作部１２６ｆを操作して、羽根連動板２４０が回転する角度を調整することにより、開放絞り値と、図７に示すような中間絞り値との間の絞り値を設定することができる。また、本発明の絞り装置においては、羽根連動板２４０が回転する角度を調整することにより、図７に示すような中間絞り値より小さな（透過光量が少ない）絞り値を設定することもできる。羽根連動板２４０が回転する角度の調整は、操作部１２６ｆを操作することによりユーザが手動で行うことができる。
【００３５】
（２）第２の実施の形態
次に、本発明の絞り装置の第２の実施の形態について説明する。
以下の説明は、本発明の絞り装置の第２の実施形態が本発明の絞り装置の第１の実施形態と異なる点を主に述べる。したがって、以下に記載がない個所は、前述した本発明の絞り装置の第１の実施形態についての説明をここに準用する。
【００３６】
図９を参照すると、本発明の絞り装置の第２の実施の形態において、絞り装置３２６の羽根連動板３４０の回転中心３４０ｋは、絞りが開放の状態において、上羽根３１０の上羽根開口部および下羽根３２０の下羽根開口部によって形成される開放時絞り開口の内側の領域に配置されている。さらに、本発明の絞り装置の第２の実施形態では、羽根連動板３４０の回転中心３４０ｋは、撮像レンズ１０４を構成するレンズ系１０６の光軸１０４ｘと距離ＨＥＮだけ離れた位置に配置される。本発明の絞り装置の第２の実施形態では、逃げ穴の形状が、本発明の絞り装置の第１の実施形態における逃げ穴の形状と異なるように構成される。
ユーザは手で絞り装置３２６の操作部３２６ｆを操作して、羽根連動板３４０を必要な角度だけ回転させ、上羽根３１０を下方に向かって直線移動させ、同時に、下羽根３２０を上方に向かって直線移動させることによって、必要な絞り値を設定することができる。この構成により、小型の絞り装置を含むレンズ装置を有する監視カメラを実現することができる。
【図面の簡単な説明】
【図１】本発明の監視カメラの第１の実施形態を示す概略断面図である。
【図２】本発明の監視カメラの第１の実施形態において、絞り値が開放状態であるときの絞り装置を示す正面図である。
【図３】本発明の監視カメラの第１の実施形態において、絞り装置の構成部品を示す分解斜視図である。
【図４】本発明の監視カメラの第１の実施形態において、絞り装置の組立方法を示す分解斜視図である。
【図５】本発明の監視カメラの第１の実施形態において、レンズ鏡胴を示す斜視図である。
【図６】本発明の監視カメラの第１の実施形態において、レンズ鏡胴の組立方法を示す分解斜視図である。
【図７】本発明の監視カメラの第１の実施形態において、絞り値が開放状態と閉じている状態との間の中間の状態であるときの絞り装置を示す正面図である。
【図８】本発明の監視カメラの第１の実施形態において、絞りが閉じている状態であるときの絞り装置を示す正面図である。
【図９】本発明の絞り装置の第２の実施形態において、絞り値が開放状態であるときの絞り装置を示す正面図である。
【符号の説明】
１００    監視カメラ
１０２    カメラボディ
１０４    撮像レンズ
１０６    前群光学系
１０８    後群光学系
１２６    絞り装置
１３０    ＣＣＤ素子
２１０    上羽根
２２０    下羽根
２３０    支持枠
２４０    羽根連動板
２５０    固定板
３１０    上羽根
３２０    下羽根
３２６    絞り装置
３４０    羽根連動板
【図１】
2005010642.tif 000003
【図２】
2005010642.tif 000004
【図３】
2005010642.tif 000005
【図４】
2005010642.tif 000006
【図５】
2005010642.tif 000007
【図６】
2005010642.tif 000008
【図７】
2005010642.tif 000009
【図８】
2005010642.tif 000010
【図９】
2005010642.tif 000011